(57)【要約】【課題】    本発明の目的は、剪定枝、枯草の廃棄物の熱効率の改善を図った廃棄物処理方法を提供するものである。【解決手段】    廃棄物処理方法は、剪定枝、枯草の廃棄物を粉砕し、粉砕した前記廃棄物を篩分し、該篩分で得られた約７ｍｍ〜約１５ｍｍの大きさの前記廃棄物を燃焼室に供給して浮遊燃焼させて、該浮遊燃焼による燃焼熱をボイラ内の水と熱交換させて、前記廃棄物を処理することができる。【選択図】図１
2013111568.tif 000002
【特許請求の範囲】
【請求項１】
剪定枝と刈草又は剪定枝の廃棄物を粉砕し、                     
粉砕した前記廃棄物から、葉又は草を取り除き、
前記葉又は草を取り除いた前記廃棄物を燃焼装置の燃料として処理する
ことを特徴とする廃棄物処理方法。
【請求項２】
剪定枝と刈草又は剪定枝の廃棄物を粉砕し、                     
粉砕した前記廃棄物を篩分し、
該篩分で得られた約７ｍｍ〜約１５ｍｍの大きさの前記廃棄物を燃焼室に供給して浮遊燃焼させて、該浮遊燃焼による燃焼熱をボイラ内の水と熱交換させて、前記廃棄物を処理する
ことを特徴とする廃棄物処理方法。
【請求項３】
粉砕した廃棄物を篩分し、該篩分で得られた約７ｍｍ未満の大きさの前記廃棄物を堆肥の原料として、前記廃棄物を処理する
ことを特徴とする請求項１又は請求項２記載の廃棄物処理方法。
【発明の詳細な説明】
【技術分野】
【０００１】
本発明は、廃棄物処理方法に係り、特に、剪定枝の廃棄物の熱効率の改善を図った廃棄物処理方法に関する。
【背景技術】
【０００２】
従来、剪定枝は粉化し、粉化後乾燥し、乾燥後ペレット状に成形して、バイオマス燃料としていた（特許文献１参照）。
【先行技術文献】
【特許文献】
【０００３】
【特許文献１】特開２０１０−２４３９３号公報
【発明の概要】
【発明が解決しようとする課題】
【０００４】
ところが、上述した剪定枝の処理にあっては、剪定枝すべてをバイオマス燃料としているため、剪定枝の内、熱量の低い葉も含まれており、バイオマス燃料として、熱効率の点で良好でないという問題点があった。
【０００５】
本発明は、上記の問題点を考慮してなされたもので、剪定枝の内、熱量の小さい葉を除いて剪定枝の廃棄物を処理する廃棄物処理方法を提供することを目的とする。
【課題を解決するための手段】
【０００６】
請求項１記載の廃棄物処理方法は、剪定枝と刈草又は剪定枝の廃棄物を粉砕し、粉砕した前記廃棄物から、葉又は草を取り除き、前記葉又は草を取り除いた前記廃棄物を燃焼装置の燃料として処理するものである。
【０００７】
また、請求項２記載の廃棄物処理方法は、剪定枝と刈草又は剪定枝の廃棄物を粉砕し、粉砕した前記廃棄物を篩分し、該篩分で得られた約７ｍｍ〜約１５ｍｍの大きさの前記廃棄物を燃焼室に供給して浮遊燃焼させて、該浮遊燃焼による燃焼熱をボイラ内の水と熱交換させて、前記廃棄物を処理するものである。
【０００８】
また、請求項３記載の廃棄物処理方法は、請求項１又は請求項２記載の廃棄物処理方法において、粉砕した廃棄物を篩分し、該篩分で得られた約７ｍｍ未満の大きさの前記廃棄物を堆肥の原料として、前記廃棄物を処理するものである。
【発明の効果】
【０００９】
請求項１記載の廃棄物処理方法によれば、剪定枝と刈草又は剪定枝の廃棄物を粉砕し、粉砕した前記廃棄物から、葉又は草を取り除き、前記葉又は草を取り除いた前記廃棄物を燃焼装置の燃料として処理するため、つまり、剪定枝と刈草又は剪定枝の廃棄物の内、熱量の小さい剪定枝の葉、草を排除し、熱量の大きい剪定枝の木質系を抽出し、燃焼装置の燃料として効率良く処理することができる。
【００１０】
また、請求項２記載の廃棄物処理方法によれば、剪定枝と刈草又は剪定枝の廃棄物を粉砕し、粉砕した前記廃棄物を篩分し、該篩分で得られた約７ｍｍ〜約１５ｍｍの大きさの廃棄物を燃焼室に供給して浮遊燃焼させて、該浮遊燃焼による燃焼熱をボイラ内の水と熱交換させて、前記廃棄物を処理するため、つまり、剪定枝、刈草の廃棄物の内、熱量の小さい剪定枝の葉、刈草を排除し、熱量の大きい剪定枝の木質系を抽出し、浮遊燃焼に適した約７ｍｍ〜約１５ｍｍの大きさの廃棄物を燃焼室に供給して浮遊燃焼させて、ボイラ内の水と効率良く熱交換させて、廃棄物を処理することができる。
【００１１】
また、請求項３記載の廃棄物処理方法によれば、上述した請求項１又は請求項２記載の発明の効果に加え、粉砕した廃棄物を篩分し、該篩分で得られた約７ｍｍ未満の大きさの前記廃棄物を堆肥の原料として、堆肥化が促進され、廃棄物を迅速に処理することができる。
【図面の簡単な説明】
【００１２】
【図１】図１は、本発明の一実施例の廃棄物処理方法の概略的工程図である。
【図２】図２は、本発明の一実施例の廃棄物処理方法に使用される燃焼装置の概略的断面図である。
【発明を実施するための形態】
【００１３】
本発明の一実施例の廃棄物処理方法を図面を参照して説明する。
図１は、本発明の一実施例の廃棄物処理方法の概略的工程図で、燃焼装置１０（図２参照）に供給される燃料を生成する過程を示したものである。
剪定枝と刈草の廃棄物は、図示しない粉砕機（例えば、タブグラインダ）で粉砕される。粉砕は、例えば、約２インチの大きさに粉砕（一次粉砕工程１  図１参照）し、粉砕後、更に、約１インチの大きさに粉砕（二次粉砕工程２  図１参照）される。
【００１４】
本実施例の廃棄物処理方法は、粉砕した前記廃棄物から、葉又は草を取り除き、前記葉又は草を取り除いた前記廃棄物を燃焼装置１０の燃料として処理するものである。
粉砕した前記廃棄物から、葉又は草を取り除く手段として、例えば、図示しない篩分機を使用する。
粉砕した前記廃棄物は、図示しない篩分機で、前記廃棄物を「約７ｍｍ未満の大きさのもの」、「約７ｍｍ〜約１５ｍｍ（より望ましくは、約７ｍｍ〜約１０ｍｍ）の大きさのもの」、「約１５ｍｍ（より望ましくは、約１０ｍｍ）を超える大きさのもの」と３つに篩分する（篩分工程３  図１参照）。
「約７ｍｍ未満の大きさのもの」は、堆肥の原料（堆肥原料工程４  図１参照）として使用され、また、「約７ｍｍ〜約１５ｍｍ（より望ましくは、約７ｍｍ〜約１０ｍｍ）の大きさのもの」は、剪定枝と刈草の廃棄物の内、熱量の小さい剪定枝の葉、刈草を排除するようにしたもので、熱量の大きい剪定枝の木質系のものとなっている（燃料生成工程５  図１参照）。
なお、「約１５ｍｍ（より望ましくは、約１０ｍｍ）を超える大きさのもの」は、約１５ｍｍ（より望ましくは、約１０ｍｍ）の大きさに粉砕（三次粉砕工程６  図１参照）され、粉砕後、再度、篩分工程３へと送られる。
【００１５】
燃料生成工程５で得られた約７ｍｍ〜約１５ｍｍ（より望ましくは、約７ｍｍ〜約１０ｍｍ）の大きさの粉砕した剪定枝と刈草の廃棄物は、図２に示す燃料供給通路１１を介して燃焼室１２に供給される。燃焼室１２内には、上部にボイラ内の水を温める熱交換器１３、燃焼室１２内に空気を供給する空気供給通路１４、下部に燃焼室１２内で生じた焼却灰を排出する焼却灰排出通路１５が設けられている。
燃焼室１２内に供給された約７ｍｍ〜約１５ｍｍ（より望ましくは、約７ｍｍ〜約１０ｍｍ）の大きさの粉砕した剪定枝と刈草の廃棄物は、燃焼室１２内で浮遊燃焼し、該浮遊燃焼による燃焼熱をボイラ内の水と熱交換器１３を介して熱交換させて、廃棄物を効率良く処理することができる。
なお、約７ｍｍ未満の大きさの粉砕した剪定枝、刈草の廃棄物は、堆肥の原料として、大きさが小さい分、堆肥化が促進され、廃棄物を迅速に処理することができる。
また、上述した燃焼装置１０は、例えば、燃料（葉又は草を取り除いた廃棄物）消費量は、約３０Ｋｇ／Ｈ〜約１５０Ｋｇ／Ｈ、燃焼温度は約６００℃〜約１０００℃、発生熱量は約８１，０００ｋｃａｌ／Ｈ〜約４１０，０００ｋｃａｌ／Ｈのものである。
【００１６】
なお、上述した実施例においては、廃棄物を剪定枝と刈草の混合体として説明したが、本願発明にあっては、これに限らず、廃棄物を剪定枝として良い。
【符号の説明】
【００１７】
１０    燃焼装置
１１    燃料供給通路
１２    燃焼室
１３    熱交換器
１４    空気供給通路
１５    焼却灰排出通路
【図１】
2013111568.tif 000003
【図２】
2013111568.tif 000004